(57)【要約】【課題】肩まわりの筋肉を大きく動かす機会を増やすことに貢献する衣類を提供する。【解決手段】シャツ１は、右袖ぐり１３および左袖ぐり１４と、緊締力が大きい強背面部２５とを有する。右袖ぐり背面縁１３Ｂは、右袖ぐり正面縁１３Ｆよりも身頃１０の幅方向の内側に位置する。左袖ぐり背面縁１４Ｂは、左袖ぐり正面縁１４Ｆよりも身頃１０の幅方向の内側に位置する。強背面部２５は、右袖ぐり背面縁１３Ｂと左袖ぐり背面縁１４Ｂとの間の部分に配置され、シャツ１の高さ方向において肩甲骨の上端から下端に対応する部分までにわたり形成され、シャツ１の幅方向において右袖ぐり背面縁１３Ｂから左袖ぐり背面縁１４Ｂに対応する部分までにわたり形成され、後身頃１０Ｂから右袖ぐり背面縁１４Ｂの下方を通過して前身頃１０Ａまでにわたり形成され、後身頃１０Ｂから左袖ぐり背面縁１４Ｂの下方を通過して前身頃１０Ａまでにわたり形成される。【選択図】図３
2013119694.tif 000002
【特許請求の範囲】
【請求項１】
右袖ぐりおよび左袖ぐりを有する衣類において、
前記右袖ぐりの縁は、身体の正面に対応する右袖ぐり正面縁と、身体の背面に対応する右袖ぐり背面縁とを有し、
前記左袖ぐりの縁は、身体の正面に対応する左袖ぐり正面縁と、身体の背面に対応する左袖ぐり背面縁とを有し、
前記右袖ぐり背面縁は、前記右袖ぐり正面縁よりも前記衣類の幅方向の内側に位置し、
前記左袖ぐり背面縁は、前記左袖ぐり正面縁よりも前記衣類の幅方向の内側に位置し、
前記衣類は、前記右袖ぐり背面縁と前記左袖ぐり背面縁との間の部分に緊締力の大きい強背面部を有し、
前記衣類は、前身頃および後身頃を有し、
前記強背面部は、前記衣類の高さ方向において肩甲骨の上端から下端に対応する部分までにわたり形成され、前記衣類の幅方向において前記右袖ぐり背面縁から前記左袖ぐり背面縁に対応する部分までにわたり形成され、前記後身頃から前記右袖ぐり背面縁の下方を通過して前記前身頃までにわたり形成され、前記後身頃から前記左袖ぐり背面縁の下方を通過して前記前身頃までにわたり形成される
ことを特徴とする衣類。
【請求項２】
請求項１に記載の衣類において、
前記前身頃は、身体の正面における右肘に対応する部分および右肘付近に対応する部分である右肘対応部分と、身体の正面における左肘に対応する部分および左肘付近に対応する部分である左肘対応部分とを有し、
前記右肘対応部分は、緊締力の大きい右強正面部を有し、
前記左肘対応部分は、緊締力の大きい左強正面部を有する
ことを特徴とする衣類。
【請求項３】
請求項２に記載の衣類において、
前記右強正面部は、前記右袖ぐりの下端よりも下方において前記強背面部との接続部分を有し、
前記左強正面部は、前記左袖ぐりの下端よりも下方において前記強背面部との接続部分を有する
ことを特徴とする衣類。
【請求項４】
請求項１〜３のいずれか一項に記載の衣類において、
前記衣類は、襟ぐりを有し、
前記襟ぐりは、前記前身頃に形成される正面襟ぐり、および前記後身頃に形成される背面襟ぐりを有し、
前記正面襟ぐりは、全体が弱緊力生地により構成され、
前記背面襟ぐりは、前記正面襟ぐりとの接続部分が弱緊締力生地により構成され、右側の前記正面襟ぐりとの接続部分および左側の前記正面襟ぐりとの接続部分の間の部分が強緊締力生地により構成される
ことを特徴とする衣類。
【発明の詳細な説明】
【技術分野】
【０００１】
本発明は、右袖ぐりおよび左袖ぐりを有する衣類に関する。
【背景技術】
【０００２】
特許文献１は、上記衣類を開示している。
【先行技術文献】
【特許文献】
【０００３】
【特許文献１】特開２０１０−２５５１３７号公報
【発明の概要】
【発明が解決しようとする課題】
【０００４】
肩まわりの筋肉を大きく動かすことにより筋肉の緊張を低減および予防する効果が得られることが一般に知られている。一方、日常の活動においては肩まわりの筋肉を大きく動かす機会が少ない。なお、特許文献１は肩まわりの筋肉を大きく動かす機会を増やすことについて特に言及していない。
【０００５】
本発明は、上記課題を解決するため、肩まわりの筋肉を大きく動かす機会を増やすことに貢献する衣類を提供することを目的とする。
【課題を解決するための手段】
【０００６】
（１）第１の手段は、請求項１に記載の発明すなわち、右袖ぐりおよび左袖ぐりを有する衣類において、前記右袖ぐりの縁は、身体の正面に対応する右袖ぐり正面縁と、身体の背面に対応する右袖ぐり背面縁とを有し、前記左袖ぐりの縁は、身体の正面に対応する左袖ぐり正面縁と、身体の背面に対応する左袖ぐり背面縁とを有し、前記右袖ぐり背面縁は、前記右袖ぐり正面縁よりも前記衣類の幅方向の内側に位置し、前記左袖ぐり背面縁は、前記左袖ぐり正面縁よりも前記衣類の幅方向の内側に位置し、前記衣類は、前記右袖ぐり背面縁と前記左袖ぐり背面縁との間の部分に緊締力の大きい強背面部を有し、前記衣類は、前身頃および後身頃を有し、前記強背面部は、前記衣類の高さ方向において肩甲骨の上端から下端に対応する部分までにわたり形成され、前記衣類の幅方向において前記右袖ぐり背面縁から前記左袖ぐり背面縁に対応する部分までにわたり形成され、前記後身頃から前記右袖ぐり背面縁の下方を通過して前記前身頃までにわたり形成され、前記後身頃から前記左袖ぐり背面縁の下方を通過して前記前身頃までにわたり形成されることを特徴とする衣類であることを要旨としている。
【０００７】
衣類の着衣方法の１つとして、襟ぐりがウエストまわりに位置する状態（以下、「中間着衣状態ＸＡ」）を形成し、この状態から右腕および左腕をそれぞれ対応する袖ぐりに通した状態（以下、「中間着衣状態ＸＢ」）に変化させ、この状態から襟ぐりが首まわり等の対応する部分まで移動した状態（以下、「着衣完了状態」）に変化させる方法がある。以下では、この衣類の着衣方法を「引上着衣方法」とする。
【０００８】
上記発明の衣類は、右袖ぐり背面縁および左袖ぐり背面縁が衣類の幅方向の内側に位置するため、引上着衣方法により着衣されるとき、ユーザーの右腕および左腕を背面側に引き寄せる力を右腕および左腕に付与する。このため、ユーザーの衣類の着衣状態が中間着衣状態ＸＢのとき、ユーザーの右腕および左腕は、背面側に引き寄せられた状態となる。このため、着衣状態を中間着衣状態ＸＢから着衣完了状態に変化させるための動作として、右腕および左腕を身体の背面側において下方から外回りで上方まで回転させる動作を選択することにより、他の動作で襟ぐりを引き上げる場合よりも容易に中間着衣状態ＸＢから着衣完了状態に変化させることができる。すなわち、右袖ぐり背面縁および左袖ぐり背面縁が衣類の幅方向の内側に位置することにより、肩まわりの筋肉を大きく動かす動作が促される。
【０００９】
そして、ユーザーが着衣状態を中間着衣状態ＸＢから着衣完了状態に変化させる動作は、ユーザーが衣類を着衣する毎に生じる。すなわち、日常的に行われる衣類の着衣時に生じる。このため、本発明の衣類は、肩まわりの筋肉を大きく動かす機会を増やすことに貢献する。
【００１０】
また、上記発明の衣類は、右袖ぐり背面縁と左袖ぐり背面縁との間の部分に緊締力の大きい強背面部を有する。このため、引上着衣方法により着衣される場合において、ユーザーの着衣状態が中間着衣状態ＸＡから中間着衣状態ＸＢに変化するとき、右腕および左腕を背面側に引き寄せる力がより大きくなる。このため、ユーザーが着衣状態を中間着衣状態ＸＢから着衣完了状態に変化させるとき、身体の背面側において右腕および左腕を下方から外回りで上方まで回転させる動作が行われやすくなる。
【００１１】
また、上記発明の衣類は、肩甲骨に対応する部分に強背面部を有するため、着衣状態が中間着衣状態ＸＢのときにおいてユーザーの右腕および左腕を背面側に引き寄せる力がより大きくなる。このため、ユーザーが着衣状態を中間着衣状態ＸＢから着衣完了状態に変化させるとき、身体の背面側において右腕および左腕を下方から外回りで上方まで回転させる動作が行われやすくなる。
【００１２】
（２）第２の手段は、請求項２に記載の発明すなわち、請求項１に記載の衣類において、前記前身頃は、身体の正面における右肘に対応する部分および右肘付近に対応する部分である右肘対応部分と、身体の正面における左肘に対応する部分および左肘付近に対応する部分である左肘対応部分とを有し、前記右肘対応部分は、緊締力の大きい右強正面部を有し、前記左肘対応部分は、緊締力の大きい左強正面部を有することを特徴とする衣類であることを要旨としている。
【００１３】
衣類の脱衣方法の１つとして、右腕および左腕を腹部前で交差させた後に衣類の裾を肘と対応する部分まで引き上げた状態（以下、「中間脱衣状態ＹＡ」）を形成し、この状態から身頃の右袖ぐりおよび左袖ぐりの下方の部分を右肘および左肘の両方を用いて広げながら衣類の裾を頭部までめくりあげた状態（以下、「中間脱衣状態ＹＢ」）に変化させ、この状態から襟ぐりを頭部から引き離した状態（以下、「脱衣完了状態」）に変化させる方法がある。以下では、この衣類の脱衣方法を「引上脱衣方法」とする。
【００１４】
上記発明の衣類は、右強正面部および左強正面部を有するため、ユーザーの衣類の脱衣状態が中間脱衣状態ＹＡから中間脱衣状態ＹＢに変化するとき、身頃の右袖ぐりおよび左袖ぐりの下方の部分を広げるユーザーの動作に対して大きな負荷を付与する。このため、脱衣状態を中間脱衣状態ＹＡから中間脱衣状態ＹＢに変化させるための動作として、右肘および左肘の両方を用いて衣類の裾をめくりあげる動作を選択することにより、他の動作で裾をめくりあげる場合よりも容易に中間脱衣状態ＹＡから中間脱衣状態ＹＢを経て脱衣完了状態に変化させることができる。ユーザーの腕は、中間脱衣状態ＹＢを経て脱衣完了状態に変化するとき、肩よりも背面側で大きく動かされる。すなわち、右強正面部および左強正面部を有することにより、ユーザーが肩まわりの筋肉を大きく動かす動作が促される。
【００１５】
そして、ユーザーが脱衣状態を中間脱衣状態ＹＡから中間脱衣状態ＹＢを経て脱衣完了状態に変化させる動作は、ユーザーが衣類を脱衣する毎に生じる。すなわち、日常的に行われる衣類の脱衣時に生じる。このため、本発明の衣類は、肩まわりの筋肉を大きく動かす機会を増やすことに貢献する。
【００１６】
（３）第３の手段は、請求項３に記載の発明すなわち、請求項２に記載の衣類において、前記右強正面部は、前記右袖ぐりの下端よりも下方において前記強背面部との接続部分を有し、前記左強正面部は、前記左袖ぐりの下端よりも下方において前記強背面部との接続部分を有することを特徴とする衣類であることを要旨としている。
【００１７】
上記発明の衣類は、引上脱衣方法により脱衣される場合において、ユーザーの脱衣状態が中間脱衣状態ＹＡから中間脱衣状態ＹＢに変化するとき、身頃の右袖ぐりおよび左袖ぐりの下方の部分を広げる動作に対する負荷がより大きくなる。このため、ユーザーが脱衣状態を中間脱衣状態ＹＡから中間脱衣状態ＹＢに変化させるとき、右肘および左肘の両方を用いて衣類の裾をめくりあげる動作が行われやすくなる。
【００１８】
（４）第４の手段は、請求項４に記載の発明すなわち、請求項１〜３のいずれか一項に記載の衣類において、前記衣類は、襟ぐりを有し、前記襟ぐりは、前記前身頃に形成される正面襟ぐり、および前記後身頃に形成される背面襟ぐりを有し、前記正面襟ぐりは、全体が弱緊力生地により構成され、前記背面襟ぐりは、前記正面襟ぐりとの接続部分が弱緊締力生地により構成され、右側の前記正面襟ぐりとの接続部分および左側の前記正面襟ぐりとの接続部分の間の部分が強緊締力生地により構成されることを特徴とする衣類であることを要旨としている。
【発明の効果】
【００１９】
本発明は、肩まわりの筋肉を大きく動かす機会を増やすことに対して貢献する衣類を提供する。
【図面の簡単な説明】
【００２０】
【図１】本発明の一実施形態の衣類について、その正面構造を示す正面図。
【図２】同実施形態の衣類について、その背面構造を示す背面図。
【図３】同実施形態の衣類について、その背面構造の一部を示す背面図。
【図４】同実施形態の衣類について、その右袖および左袖の構造を示す展開図。
【図５】同実施形態の衣類について、着衣動作Ａ１を示す動作図。
【図６】同実施形態の衣類について、着衣動作Ａ２を示す動作図。
【図７】同実施形態の衣類について、着衣動作Ａ３を示す動作図。
【図８】同実施形態の衣類について、着衣動作Ａ４を示す動作図。
【図９】同実施形態の衣類について、着衣動作Ａ５を示す動作図。
【図１０】同実施形態の衣類について、着衣動作Ａ５を示す動作図。
【図１１】同実施形態の衣類について、脱衣動作Ｂ１を示す動作図。
【図１２】同実施形態の衣類について、脱衣動作Ｂ２を示す動作図。
【図１３】同実施形態の衣類について、脱衣動作Ｂ３を示す動作図。
【図１４】同実施形態の衣類について、脱衣動作Ｂ４を示す動作図。
【図１５】同実施形態の衣類について、脱衣動作Ｂ５を示す動作図。
【図１６】同実施形態の衣類について、脱衣動作Ｂ５を示す動作図。
【図１７】本発明のその他の実施形態としての衣類について、その背面構造の一部を示す背面図。
【発明を実施するための形態】
【００２１】
まず、身体の方向に関する用語として以下のものを定義する。
・「前方」は、身体の背面から正面に向かう方向を示す。
・「後方」は、身体の正面から背面に向かう方向を示す。
・「上方」は、足から頭に向かう方向を示す。
・「下方」は、頭から足に向かう方向を示す。
・「左方」は、ユーザーからみて右半身から左半身に向かう方向を示す。
・「右方」は、ユーザーからみて左半身から右半身に向かう方向を示す。
・「奥行方向」は、前方および後方に沿う方向を示す。
・「高さ方向」は、上方および下方に沿う方向を示す。
・「幅方向」は、右方および左方に沿う方向を示す。
・「内側」は、幅方向においての身体の中心側を示す。
・「外側」は、幅方向においての身体の中心側とは反対側を示す。
【００２２】
また、身体の各部位に関する用語として以下のものを定義する。
・「肩部」は、体幹のうちの鎖骨よりも上方の部分を示す。
・「胸部」は、体幹の正面において鎖骨よりも下方かつ鳩尾よりも上方の部分を示す。
・「脇部」は、体幹の側部において上腕の内側と対応する部分を示す。
・「腹部」は、体幹の正面において鳩尾よりも下方の部分を示す。
・「上腹部」は、腹部のうちのウエストよりも上方の部分を示す。
・「下腹部」は、腹部のうちのウエストよりも下方の部分を示す。
・「肩甲部」は、体幹の背面において肩甲骨と対応する部分を示す。
・「背部」は、体幹の背面においてウエストよりも上方かつ肩甲部を除く部分を示す。
・「腰部」は、体幹の背面においての骨盤およびその付近の部分を示す。
【００２３】
また、生地に関する用語として以下のものを定義する。
・「裏側」は、生地において身体の表面と対向する側を示す。
・「表側」は、生地において裏側とは反対側を示す。
【００２４】
図１および図２を参照して、インナーとしてのシャツ１の構成について説明する。なお、図１〜図１６において、破線は生地の裏側に位置する生地を示している。また点ハッチングは、各生地の緊締力の相対的な大きさを示している。また図１〜図３は、各生地が伸びていない状態のシャツ１を示している。
【００２５】
シャツ１は、体幹の肩部から腰までを覆う身頃１０と、長袖としての右袖３１と、長袖としての左袖３２とを有する。身頃１０は、複数の生地すなわち、図１に示される正面基礎部２１、右強正面部２２、および左強正面部２３と、図２に示される背面基礎部２４、強背面部２５、右肩部２６、および左肩部２７とを有する。またこの他に、身頃１０を構成する各生地の縁により構成される４つの開口部分、すなわち襟ぐり１２、右袖ぐり１３、左袖ぐり１４、および裾１５を有する。またこの他に、伸縮性が低いテープ１１を有する。なお、右肩部２６および左肩部２７は「肩対応部分」に相当する。
【００２６】
身頃１０の複数の生地は、図１に示される前身頃１０Ａおよび図２に示される後身頃１０Ｂを構成する。右強正面部２２および左強正面部２３は、正面基礎部２１の裏側に位置する。テープ１１は、強背面部２５の上端すなわち襟ぐり１２の縁に縫い付けられている。強背面部２５は、幅方向の中央において互いに縫い合わせられる２枚の生地により構成される。この２枚の生地は、左右対称の形状を有する。
【００２７】
前身頃１０Ａ（図１参照）は、身頃１０のうちの身体の正面と対応する部分、すなわち正面基礎部２１の一部分、右強正面部２２の一部分、左強正面部２３の一部分、強背面部２５の一部分、右肩部２６の一部分、および左肩部２７の一部分により構成される。
【００２８】
後身頃１０Ｂ（図２参照）は、身頃１０のうちのユーザーの背面と対応する部分、すなわち背面基礎部２４、強背面部２５の一部分、正面基礎部２１の一部分、右強正面部２２の一部分、左強正面部２３の一部分、右肩部２６の一部分、および左肩部２７の一部分により構成される。
【００２９】
右袖３１は、カフス構造の引掛部３３を有する。引掛部３３は、右袖３１のうちの袖口３１Ａ付近に位置する。左袖３２は、カフス構造の引掛部３３を有する。引掛部３３は、左袖３２のうちの袖口３２Ａ付近に位置する。
【００３０】
シャツ１を構成する各生地は、緊締力の大きさから３種類に分類される。すなわち、大きい緊締力を有する強緊締力生地、小さい緊締力を有する弱緊締力生地、および強緊締力生地と弱緊締力生地との中間の緊締力を有する中緊締力生地に分類される。
【００３１】
強背面部２５（図２参照）は、強緊締力生地により構成されている。右強正面部２２および左強正面部２３（図１参照）は、中緊締力生地により構成されている。正面基礎部２１（図１参照）、背面基礎部２４（図２参照）、右袖３１、および左袖３２は、弱緊締力生地により構成されている。弱緊締力生地としては、一般の肌着に用いられる生地と同程度の伸縮性を有するストレッチ素材が用いられている。また、弱緊締力生地の縦糸に沿う方向の伸縮性は、横糸に沿う方向（以下、「横方向」）よりも小さい。
【００３２】
図１および図２に示されるように、正面基礎部２１および背面基礎部２４においては、弱緊締力生地の横方向が幅方向に一致している。すなわち、正面基礎部２１および背面基礎部２４の幅方向の伸縮性は、高さ方向の伸縮性よりも大きい。
【００３３】
図１に示されるように、右肩部２６および左肩部２７においては、弱緊締力生地の横方向が襟ぐり１２の縁の方向に一致している。すなわち、右肩部２６および左肩部２７における襟ぐり１２の縁の方向の伸縮性は、襟ぐり１２の縁の方向と直交する方向の伸縮性よりも大きい。
【００３４】
シャツ１の各生地は、身体の各部位と以下の対応関係を有する。
（ａ）正面基礎部２１は、胸部、上腹部、下腹部、および脇部と対応する。
（ｂ）正面基礎部２１は、右腰部のうちの右側の部分と対応する。
（ｃ）正面基礎部２１は、左腰部のうちの左側の部分と対応する。
（ｄ）右強正面部２２は、右胸部下部のうちの右側の部分と対応する。
（ｅ）右強正面部２２は、右上腹部のうちの右側の部分および右脇部と対応する。
（ｆ）左強正面部２３は、左胸部下部のうちの左側の部分と対応する。
（ｇ）左強正面部２３は、左上腹部のうちの左側の部分および左脇部と対応する。
（ｈ）背面基礎部２４は、背部下部、および腰部と対応する。
（ｉ）強背面部２５は、背部上部、肩甲部、および脇部上部と対応する。
（ｊ）右肩部２６は、右肩部と対応する。
（ｋ）左肩部２７は、左肩部と対応する。
（ｌ）右袖３１は、右腕の右肩部から右手首までの部位と対応する。
（ｍ）左袖３２は、左腕の左肩部から左手首までの部位と対応する。
【００３５】
なお、右強正面部２２の右上腹部のうちの右側の部分において、右肘と対応する部分は「右肘対応部分」に相当する。また、左強正面部２３の左上腹部のうちの左側の部分において、左肘と対応する部分は「左肘対応部分」に相当する。
【００３６】
シャツ１の各部分の縁の種類について説明する。
正面基礎部２１（図１参照）の縁について次のように定義する。
（ａ）正面基礎部２１の上部の縁のうち右肩に対応する縁を「上右縁２１Ａ」とする。
（ｂ）正面基礎部２１の上部の縁のうち左肩に対応する縁を「上左縁２１Ｂ」とする。
（ｃ）正面基礎部２１の下部の縁を「下縁２１Ｄ」とする。
（ｄ）正面基礎部２１の下部かつ右側の縁を「右縁２１Ｒ」（図２参照）とする。
（ｅ）正面基礎部２１の下部かつ左側の縁を「左縁２１Ｌ」（図２参照）とする。
（ｆ）右縁２１Ｒの上方と連続し、かつ右脇よりも下方の縁を「中右縁２１Ｐ」とする。（ｇ）左縁２１Ｌの上方と連続し、かつ左脇よりも下方の縁を「中左縁２１Ｑ」とする。（ｈ）上右縁２１Ａと上左縁２１Ｂとを接続する縁を「襟縁２１Ｎ」とする。
（ｉ）中右縁２１Ｐと上右縁２１Ａとを接続する縁を「右袖縁２１Ｘ」とする。
（ｊ）中左縁２１Ｑと上左縁２１Ｂとを接続する縁を「左袖縁２１Ｙ」とする。
【００３７】
右強正面部２２（図１参照）の縁について次のように定義する。
（ａ）右強正面部２２の上部の縁を「上縁２２Ｕ」とする。
（ｂ）右強正面部２２の右側の縁を「右縁２２Ｒ」とする。
（ｃ）右強正面部２２の左側の縁を「左縁２２Ｌ」とする。
（ｄ）上縁２２Ｕと右縁２２Ｒとを接続する縁を「脇縁２２Ａ」とする。
【００３８】
左強正面部２３（図１参照）の縁について次のように定義する。
（ａ）左強正面部２３の上部の縁を「上縁２３Ｕ」とする。
（ｂ）左強正面部２３の右側の縁を「右縁２３Ｒ」とする。
（ｃ）左強正面部２３の左側の縁を「左縁２３Ｌ」とする。
（ｄ）上縁２３Ｕと左縁２３Ｌとを接続する縁を「脇縁２３Ａ」とする。
【００３９】
背面基礎部２４（図２参照）の縁について次のように定義する。
（ａ）背面基礎部２４の上部の縁を「上縁２４Ｕ」とする。
（ｂ）背面基礎部２４の下部の縁を「下縁２４Ｄ」とする。
（ｃ）背面基礎部２４の右側の縁を「右縁２４Ｒ」とする。
（ｄ）背面基礎部２４の左側の縁を「左縁２４Ｌ」とする。
【００４０】
強背面部２５（図２参照）の縁について次のように定義する。
（ａ）強背面部２５の上部の右側の縁を「上右縁２５Ａ」とする。
（ｂ）強背面部２５の上部の左側の縁を「上左縁２５Ｂ」とする。
（ｃ）強背面部２５の下部の縁を「下縁２５Ｄ」とする。
（ｄ）強背面部２５の右側の縁を「右縁２５Ｒ」とする。
（ｅ）強背面部２５の左側の縁を「左縁２５Ｌ」とする。
（ｆ）上右縁２５Ａと上左縁２５Ｂとを接続する縁を「襟縁２５Ｎ」とする。
【００４１】
右肩部２６の縁（図１参照）について次のように定義する。
（ａ）右肩部２６の正面の縁を「正面縁２６Ｄ」とする。
（ｂ）右肩部２６の背面の縁を「背面縁２６Ｕ」とする。
（ｃ）右肩部２６の右側の縁を「右縁２６Ｒ」とする。
（ｄ）右肩部２６の左側の縁を「左縁２６Ｌ」とする。
【００４２】
左肩部２７（図１参照）の縁について次のように定義する。
（ａ）左肩部２７の正面の縁を「正面縁２７Ｄ」とする。
（ｂ）左肩部２７の背面の縁を「背面縁２７Ｕ」とする。
（ｃ）左肩部２７の右側の縁を「右縁２７Ｒ」とする。
（ｄ）左肩部２７の左側の縁を「左縁２７Ｌ」とする。
【００４３】
右袖３１（図１参照）の縁について次のように定義する。
（ａ）右袖３１の上部の縁を「上縁３１Ｕ」とする。
（ｂ）右袖３１の下部の縁を「下縁３１Ｄ」とする。
【００４４】
左袖３２（図１参照）の縁について次のように定義する。
（ａ）左袖３２の上部の縁を「上縁３２Ｕ」とする。
（ｂ）左袖３２の下部の縁を「下縁３２Ｄ」とする。
【００４５】
正面基礎部２１の各縁（図１参照）は、他の生地の縁と以下の関係を有する。
（ａ）上右縁２１Ａは、右肩部２６の正面縁２６Ｄに縫い付けられている。
（ｂ）上左縁２１Ｂは、左肩部２７の正面縁２７Ｄに縫い付けられている。
（ｃ）下縁２１Ｄは、他の生地に縫い付けられていない。
（ｄ）右縁２１Ｒ（図２参照）は、背面基礎部２４の右縁２４Ｒに縫い付けられている。（ｅ）左縁２１Ｌ（図２参照）は、背面基礎部２４の左縁２４Ｌに縫い付けられている。（ｆ）襟縁２１Ｎは、他の生地に縫い付けられていない。
（ｇ）右袖縁２１Ｘは、右袖３１の上縁３１Ｕに縫い付けられている。
（ｈ）左袖縁２１Ｙは、左袖３２の上縁３２Ｕに縫い付けられている。
【００４６】
右強正面部２２の各縁（図１参照）は、他の生地の縁と以下の関係を有する。
（ａ）上縁２２Ｕは、右袖３１の上縁３１Ｕに縫い付けられている。
（ｂ）右縁２２Ｒは、正面基礎部２１の中間部分に縫い付けられている。
（ｃ）左縁２２Ｌは、正面基礎部２１の中間部分に縫い付けられている。
（ｄ）脇縁２２Ａは、強背面部２５の下縁２５Ｄに縫い付けられている。
【００４７】
右強正面部２２の右縁２２Ｒは、上方から下方に向かうにつれて外側から内側に向けて傾斜している。右強正面部２２の左縁２２Ｌは、上方から下方に向かうにつれて外側から内側に向けて傾斜している。なお、脇縁２２Ａは強背面部２５との「接続部分」に相当する。
【００４８】
左強正面部２３の各縁（図１参照）は、他の生地の縁と以下の関係を有する。
（ａ）上縁２３Ｕは、左袖３２の上縁３２Ｕに縫い付けられている。
（ｂ）右縁２３Ｒは、正面基礎部２１の中間部分に縫い付けられている。
（ｃ）左縁２３Ｌは、正面基礎部２１の中間部分に縫い付けられている。
（ｄ）脇縁２３Ａは、強背面部２５の下縁２５Ｄに縫い付けられている。
【００４９】
左強正面部２３の左縁２３Ｌは、上方から下方に向かうにつれて外側から内側に向けて傾斜している。左強正面部２３の右縁２３Ｒは、上方から下方に向かうにつれて外側から内側に向けて傾斜している。なお、脇縁２３Ａは強背面部２５との「接続部分」に相当する。
【００５０】
背面基礎部２４の各縁（図２参照）は、他の生地の縁と以下の関係を有する。
（ａ）上縁２４Ｕは、強背面部２５の下縁２５Ｄに縫い付けられている。
（ｂ）下縁２４Ｄは、他の生地の縁に縫い付けられていない。
（ｃ）右縁２４Ｒは、正面基礎部２１の右縁２１Ｒに縫い付けられている。
（ｄ）左縁２４Ｌは、正面基礎部２１の左縁２１Ｌに縫い付けられている。
【００５１】
強背面部２５の各縁（図２参照）は、他の生地の縁と以下の関係を有する。
（ａ）上右縁２５Ａは、右肩部２６の背面縁２６Ｕに縫い付けられている。
（ｂ）上左縁２５Ｂは、左肩部２７の背面縁２７Ｕに縫い付けられている。
（ｃ）下縁２５Ｄは、背面基礎部２４の上縁２４Ｕに縫い付けられている。
（ｄ）下縁２５Ｄは、右強正面部２２の脇縁２２Ａ（図１参照）に縫い付けられている。（ｅ）下縁２５Ｄは、左強正面部２３の脇縁２３Ａ（図１参照）に縫い付けられている。（ｆ）下縁２５Ｄは、正面基礎部２１の中右縁２１Ｐに縫い付けられている。
（ｇ）下縁２５Ｄは、正面基礎部２１の中左縁２１Ｑに縫い付けられている。
（ｈ）右縁２５Ｒは、右袖３１の上縁３１Ｕに縫い付けられている。
（ｉ）左縁２５Ｌは、左袖３２の上縁３２Ｕに縫い付けられている。
（ｊ）襟縁２５Ｎは、他の生地の縁に縫い付けられていない。
【００５２】
右肩部２６の各縁（図１参照）は、他の生地の縁と以下の関係を有する。
（ａ）正面縁２６Ｄは、正面基礎部２１の上右縁２１Ａに縫い付けられている。
（ｂ）背面縁２６Ｕは、強背面部２５の上右縁２５Ａに縫い付けられている。
（ｃ）右縁２６Ｒは、右袖３１の上縁３１Ｕに縫い付けられている。
（ｄ）左縁２６Ｌは、他の生地の縁に縫い付けられていない。
【００５３】
左肩部２７の各縁（図１参照）は、他の生地の縁と以下の関係を有する。
（ａ）正面縁２７Ｄは、正面基礎部２１の上左縁２１Ｂに縫い付けられている。
（ｂ）背面縁２７Ｕは、強背面部２５の上左縁２５Ｂに縫い付けられている。
（ｃ）右縁２７Ｒは、他の生地の縁に縫い付けられていない。
（ｄ）左縁２７Ｌは、左袖３２の上縁３２Ｕに縫い付けられている。
【００５４】
右袖３１の各縁（図１参照）は、他の生地の縁と以下の関係を有する。
（ａ）上縁３１Ｕは、正面基礎部２１の右袖縁２１Ｘに縫い付けられている。
（ｂ）上縁３１Ｕは、右強正面部２２の上縁２２Ｕに縫い付けられている。
（ｃ）上縁３１Ｕは、右肩部２６の右縁２６Ｒに縫い付けられている。
（ｄ）上縁３１Ｕ（図２参照）は、強背面部２５の右縁２５Ｒに縫い付けられている。
（ｅ）下縁３１Ｄは、他の生地の縁に縫い付けられていない。
【００５５】
左袖３２の各縁（図１参照）は、他の生地の縁と以下の関係を有する。
（ａ）上縁３２Ｕは、正面基礎部２１の左袖縁２１Ｙに縫い付けられている。
（ｂ）上縁３２Ｕは、左強正面部２３の上縁２３Ｕに縫い付けられている。
（ｃ）上縁３２Ｕは、左肩部２７の左縁２７Ｌに縫い付けられている。
（ｄ）上縁３２Ｕ（図２参照）は、強背面部２５の左縁２５Ｌに縫い付けられている。
（ｅ）下縁３２Ｄは、他の生地の縁に縫い付けられていない。
【００５６】
上記各縁は、襟ぐり１２、右袖ぐり１３、左袖ぐり１４、および裾１５を形成する。なお、襟ぐり１２のうちの強背面部２５の襟縁２５Ｎと対応する部分は「背面襟ぐり」に相当する。
（ａ）襟ぐり１２は、強背面部２５の襟縁２５Ｎ、右肩部２６の左縁２６Ｌ、正面基礎部２１の襟縁２１Ｎ、および左肩部２７の右縁２７Ｒにより形成されている。
（ｂ）右袖ぐり１３は、強背面部２５の右縁２５Ｒ、右肩部２６の右縁２６Ｒ、正面基礎部２１の右袖縁２１Ｘ、および右強正面部２２の上縁２２Ｕにより形成されている。
（ｃ）左袖ぐり１４は、強背面部２５の左縁２５Ｌ、左肩部２７の左縁２７Ｌ、正面基礎部２１の左袖縁２１Ｙ、および左強正面部２３の上縁２３Ｕにより形成されている。
（ｄ）裾１５は、背面基礎部２４の下縁２４Ｄおよび正面基礎部２１の下縁２１Ｄにより形成されている。
【００５７】
図３を参照して、右袖ぐり１３および左袖ぐり１４の構成について説明する。
ここで、シャツ１の折畳状態について、シャツ１の幅方向の中心線を基準としてシャツ１が左右対称の形状を有し、かつ強背面部２５の裏面と正面基礎部２１の裏面とが互いに接触する折畳状態を「基準折畳状態」とする。図３は、基準折畳状態のシャツ１において、右袖３１および左袖３２が省略されたシャツ１の背面構造を示している。
【００５８】
基準折畳状態のシャツ１の右袖ぐり１３は、右肩部２６の折り返し部分に対応する上部折返点１３Ｕと、強背面部２５の折り返し点に対応する下部折返点１３Ｄと、シャツ１の正面側において上部折返点１３Ｕと下部折返点１３Ｄとを結ぶ右袖ぐり正面縁１３Ｆと、背面側において上部折返点１３Ｕと下部折返点１３Ｄとを結ぶ右袖ぐり背面縁１３Ｂとを有する。
【００５９】
右袖ぐり正面縁１３Ｆは、高さ方向において上部折返点１３Ｕから正面中間点１３Ｓを経由して下部折返点１３Ｄに向かうにつれて幅方向において内側から外側に向けて湾曲した形状を有する。また、幅方向において襟ぐり１２の最も外側の部分よりも外側に位置する。正面中間点１３Ｓは、右袖ぐり正面縁１３Ｆの幅方向において上部折返点１３Ｕと下部折返点１３Ｄとの間に位置する。
【００６０】
右袖ぐり背面縁１３Ｂは、高さ方向において上部折返点１３Ｕおよび下部折返点１３Ｄのそれぞれから背面中間点１３Ｔに向かうにつれて幅方向において外側から内側に向けて湾曲した形状を有する。また、幅方向において襟ぐり１２の最も外側の部分よりも外側に位置する部分と、幅方向において襟ぐり１２とオーバーラップする部分とを有する。背面中間点１３Ｔは、右袖ぐり背面縁１３Ｂの各部分のうち幅方向において最も内側に位置する。
【００６１】
左袖ぐり正面縁１４Ｆは、高さ方向において上部折返点１４Ｕから正面中間点１４Ｓを経由して下部折返点１４Ｄに向かうにつれて幅方向において内側から外側に向けて湾曲した形状を有する。また、幅方向において襟ぐり１２の最も外側の部分よりも外側に位置する。正面中間点１４Ｓは、左袖ぐり正面縁１４Ｆの幅方向において上部折返点１４Ｕと下部折返点１４Ｄとの間に位置する。
【００６２】
基準折畳状態のシャツ１の左袖ぐり１４は、左肩部２７の折り返し部分に対応する上部折返点１４Ｕと、強背面部２５の折り返し点に対応する下部折返点１４Ｄと、シャツ１の正面側において上部折返点１４Ｕと下部折返点１４Ｄとを結ぶ左袖ぐり正面縁１４Ｆと、背面側において上部折返点１４Ｕと下部折返点１４Ｄとを結ぶ左袖ぐり背面縁１４Ｂとを有する。
【００６３】
左袖ぐり背面縁１４Ｂは、高さ方向において上部折返点１４Ｕおよび下部折返点１４Ｄのそれぞれから背面中間点１４Ｔに向かうにつれて幅方向において外側から内側に向けて湾曲した形状を有する。また、幅方向において襟ぐり１２の最も外側の部分よりも外側に位置する部分と、幅方向において襟ぐり１２とオーバーラップする部分とを有する。背面中間点１４Ｔは、左袖ぐり背面縁１４Ｂの各部分のうち幅方向において最も内側に位置する。
【００６４】
ここで、右袖ぐり１３および左袖ぐり１４に関する寸法を以下のように定義する。
（ａ）高さ方向の同じ位置において右袖ぐり正面縁１３Ｆの一点と左袖ぐり正面縁１４Ｆの一点とを結ぶ線分の長さを「正面身幅ＬＡ」とする。
（ｂ）高さ方向の同じ位置において右袖ぐり背面縁１３Ｂの一点と左袖ぐり背面縁１４Ｂの一点とを結ぶ線分の長さを「背面身幅ＬＢ」とする。
（ｃ）高さ方向の同じ位置、かつ上部折返点１３Ｕおよび下部折返点１３Ｄ以外の部分において、正面身幅ＬＡと背面身幅ＬＢとの差を「身幅差ＬＣ」とする。
【００６５】
正面身幅ＬＡは、高さ方向において上部折返点１３Ｕ，１４Ｕから下部折返点１３Ｄ，１４Ｄに向かうにつれて次第に大きくなる。背面身幅ＬＢは、高さ方向において上部折返点１３Ｕ，１４Ｕおよび下部折返点１３Ｄ，１４Ｄから背面中間点１３Ｔ，１４Ｔに向かうにつれて次第に小さくなる。上部折返点１３Ｕ，１４Ｕの背面身幅ＬＢは、下部折返点１３Ｄ，１４Ｄの背面身幅ＬＢよりも小さい。背面中間点１３Ｔ，１４Ｔの背面身幅ＬＢは、高さ方向の各部分における背面身幅ＬＢのうちで最も小さい。
【００６６】
正面身幅ＬＡおよび背面身幅ＬＢの相互の関係を以下に示す。
（ａ）正面身幅ＬＡおよび背面身幅ＬＢは、上部折返点１３Ｕ，１４Ｕにおいて等しい。（ｂ）正面身幅ＬＡおよび背面身幅ＬＢは、下部折返点１３Ｄ，１４Ｄにおいて等しい。（ｃ）正面身幅ＬＡは、（ａ）と（ｂ）以外の部分において背面身幅ＬＢよりも大きい。（ｄ）身幅差ＬＣは、上部折返点１３Ｕ，１４Ｕから背面中間点１３Ｔ，１４Ｔに向けて漸増する。
（ｅ）身幅差ＬＣは、背面中間点１３Ｔ，１４Ｔから下部折返点１３Ｄ，１４Ｄに向けて漸減する。
【００６７】
図４を参照して、右袖３１および左袖３２の構成について説明する。なお、図４は、右袖３１および左袖３２を展開した状態を示す。また、図４（ａ）の二点鎖線は、一般的な形状の右袖４１（以下、「仮想右袖４１」）を示す。また、図４（ｂ）の二点鎖線は、一般的な形状の左袖４２（以下、「仮想左袖４２」）を示す。仮想右袖４１は、上縁４１Ｕが左右対称の形状を有する。仮想左袖４２は、上縁４２Ｕが左右対称の形状を有する。
【００６８】
シャツ１の右袖ぐり背面縁１３Ｂ（図３参照）は、身頃１０の幅方向において右袖ぐり正面縁１３Ｆ（図３参照）よりも内側に位置する。このため、仮想右袖４１のうちの上部折返点１３Ｕ（図３参照）に対応する肩先点４１Ｔは、上縁４１Ｕの頂点および下縁３１Ｄを通過する中心線ＣＲよりも左方、すなわち正面側に位置する。また、左袖ぐり背面縁１４Ｂ（図３参照）は、身頃１０の幅方向において左袖ぐり正面縁１４Ｆ（図３参照）よりも内側に位置するため、仮想左袖４２のうちの上部折返点１４Ｕ（図３参照）に対応する肩先点４２Ｔは、上縁４２Ｕの頂点および下縁３２Ｄの中央を通過する中心線ＣＬよりも右方、すなわち正面側に位置する。
【００６９】
図４（ａ）に示されるように、右袖３１は、上部折返点１３Ｕ（図３参照）に対応する肩先点３１Ｔと、下部折返点１３Ｄ（図３参照）に対応する脇下点３１Ｓと、シャツ１の正面側において肩先点３１Ｔと脇下点３１Ｓとを結ぶ正面上縁３１Ｆと、背面側において肩先点３１Ｔと脇下点３１Ｓとを結ぶ背面上縁３１Ｂとを有する。正面上縁３１Ｆは、仮想右袖４１の正面上縁４１Ｆと比較して左方に膨らんでいる。これにより、肩先点３１Ｔは、仮想右袖４１の肩先点４１Ｔよりも左方、すなわち正面側の位置に形成される。
【００７０】
背面上縁３１Ｂの上方の部分は、仮想右袖４１の背面上縁４１Ｂと比較して右方かつ上方に膨らんでいる。これにより、右袖３１を円筒形状に形成した状態において、右袖３１の袖口３１Ａは、背面側を向く。また、背面上縁３１Ｂの下方の部分は、仮想右袖４１の背面上縁４１Ｂと比較して下方かつ左方に凹でいる。
【００７１】
図４（ｂ）に示されるように、左袖３２は、上部折返点１４Ｕ（図３参照）に対応する肩先点３２Ｔと、下部折返点１４Ｄ（図３参照）に対応する脇下点３２Ｓと、シャツ１の正面側において肩先点３２Ｔと脇下点３２Ｓとを結ぶ正面上縁３２Ｆと、背面側において肩先点３２Ｔと脇下点３２Ｓとを結ぶ背面上縁３２Ｂとを有する。正面上縁３２Ｆは、仮想左袖４２の正面上縁４２Ｆと比較して右方に膨らんでいる。これにより、肩先点３２Ｔは、仮想左袖４２の肩先点４２Ｔよりも右方、すなわち正面側の位置に形成される。
【００７２】
背面上縁３２Ｂの上方の部分は、仮想左袖４２の背面上縁４２Ｂと比較して左方かつ上方に膨らんでいる。これにより、左袖３２を円筒形状に形成した状態において、左袖３２の袖口３２Ａは、背面側を向く。また、背面上縁３２Ｂの下方の部分は、仮想左袖４２の背面上縁４２Ｂと比較して下方かつ右方に凹んでいる。
【００７３】
図５〜図１６を参照して、シャツ１の着衣方法および脱衣方法について説明する。
血液の循環は、肩まわりの筋肉が大きく動作するときに促進される。これにより、筋肉に滞留している老廃物質は、肩まわりの筋肉が大きく動作するときに排出される。肩まわりの筋肉は、筋肉に滞留している老廃物質が排出されるときにほぐされる。このため、肩のこりは、肩まわりの筋肉を大きく動作させることにより低減および予防することができる。
【００７４】
一方、ユーザーの腕を対角方向に移動させる動作、および腕を内旋または外旋させる螺旋の動作は、筋繊維の感覚受容器に対する刺激をより増大させるため、筋肉の動作をより大きくする。
【００７５】
そして、シャツ１は、引上着衣方法により着衣されるときおよび引上脱衣方法により脱衣されるときにおいて、上記腕を対角方向に移動させる動作、および内旋または外旋の螺旋の動作を促すための構造を有する。これにより、ユーザーがシャツ１を着衣または脱衣するときに肩まわりの筋肉が大きく動作するため、肩のこりの低減および予防の効果が得られる。
【００７６】
図５〜図１０を参照して、引上着衣方法について説明する。
ユーザーは、引上着衣方法によりシャツ１を着衣するとき、以下の（着衣動作Ａ１）〜（着衣動作Ａ５）の順に着衣動作を行う。
【００７７】
（着衣動作Ａ１）図５に示されるように、シャツ１の後身頃１０Ｂと身体の背面を合わせた状態で襟ぐり１２および裾１５に下肢を通す。そして、襟ぐり１２をウエストまわりまで引き上げて中間着衣状態ＸＡを形成する。シャツ１は、右袖ぐり１３および左袖ぐり１４が身体の背面よりに位置する構造を有するため、中間着衣状態ＸＡにおいて右袖ぐり１３および左袖ぐり１４が身体の背面側に位置する。また、右袖３１の袖口３１Ａおよび左袖３２の袖口３２Ａは、背面側を向く。
【００７８】
（着衣動作Ａ２）図６に示されるように、中間着衣状態ＸＡにおいて右手首および左手首をそれぞれ右袖ぐり１３および左袖ぐり１４に差し込むことにより、着衣状態を中間着衣状態ＸＡから中間着衣状態ＸＢに変化させる。このとき、右袖ぐり１３および左袖ぐり１４が背面側に位置するため、矢印ＡＸに示されるように、右肩および左肩が背面において内側に向けて伸展した状態で右袖ぐり１３または左袖ぐり１４に差し込まれる。
【００７９】
（着衣動作Ａ３）図６に示されるように、右肩および左肩が背面において内側に向けて伸展した状態において、右腕の下腕および左腕の下腕を下方かつ外側に向けて伸ばすことにより、図７に示されるように、右腕の下腕および左腕の下腕をそれぞれ右袖３１および左袖３２に通す。このとき、右の肩甲骨および左の肩甲骨は、背面において内側に向けて後退する。
【００８０】
（着衣動作Ａ４）図７に示されるように、右腕および左腕をそれぞれ下方から上方に向けて外側まわりで回転させることにより、図８に示されるように、右腕の上腕および左腕の上腕をそれぞれ右袖３１および左袖３２に通す。このとき、図７の矢印ＡＹに示されるように、右腕および左腕は、外転する。また、矢印ＡＺに示されるように、右腕および左腕は、外旋する。
【００８１】
（着衣動作Ａ５）図９に示されるように、右手および左手のそれぞれにより襟ぐり１２の形を整える。そして、図１０に示されるように、襟ぐり１２の形が整えられることによりシャツ１の着衣が完了する。
【００８２】
以上のように、引上着衣動作の着衣動作Ａ２から着衣動作Ａ４までにおいて、右腕および左腕は、背面よりの下方の位置から上方の位置に向けて、すなわち対角方向に向けて大きく移動する。また着衣動作Ａ４において、右腕および左腕は、外旋すなわち螺旋の方向に動作する。
【００８３】
着衣時のシャツ１の作用について説明する。
（作用１１）シャツ１は、緊締力が大きい強背面部２５、右強正面部２２、および左強正面部２３を有するため、シャツ１のうちの腹部および上腹部と対応する部分が広がりにくい。このため、図５に示される着衣動作Ａ１と比較したとき、ユーザーがシャツ１の裾１５に頭部を通し、その後に頭部を襟ぐり１２に通す順序でシャツ１を着用することが難しい。このため、ユーザーの動作が着衣動作Ａ１に導かれやすくなる。すなわちシャツ１は、ユーザーの着衣動作を着衣動作Ａ１に導く構成を有する。
【００８４】
（作用１２）シャツ１は、緊締力が小さい正面基礎部２１、右肩部２６、および左肩部２７を有し、かつ右肩部２６および左肩部２７が襟ぐり１２の方向に伸びやすい生地の配置形態を有する。これにより、襟ぐり１２が広がりやすくなるため、ユーザーの動作が図７に示される着衣動作Ａ４に導かれやすくなる。また、図５に示される着衣動作Ａ１において、下肢を襟ぐり１２に通す動作が襟ぐり１２により阻害されることが抑制される。
【００８５】
（作用１３）シャツ１の右袖ぐり背面縁１３Ｂは、右袖ぐり正面縁１３Ｆよりも身頃１０の幅方向の内側に位置し、左袖ぐり背面縁１４Ｂは、左袖ぐり正面縁１４Ｆよりも身頃１０の幅方向の内側に位置する。またシャツ１は、緊締力が大きい強背面部２５および低伸縮性のテープ１１を有する。このため、図６に示される着衣動作Ａ２において、右手首および左手首の一方が先に対応する右袖ぐり１３または左袖ぐり１４に通されたとき、右手首および左手首の他方が対応する右袖ぐり１３または左袖ぐり１４に通されにくい。このため、ユーザーの着衣状態を着衣動作Ａ１から着衣動作Ａ２に導くことができる。
【００８６】
（作用１４）シャツ１の右袖３１および左袖３２は、背面側に向かって形成される。このため、図７に示されるように、右腕および左腕が右袖３１および左袖３２に通されたとき、右袖３１および左袖３２は、背面側に引き寄せる力を右腕および左腕に付与する。このため、ユーザーの着衣状態を着衣動作Ａ２から着衣動作Ａ３に導くことができる。
【００８７】
（作用１５）シャツ１は、緊締力が大きい強背面部２５を有するため、図７に示される中間着衣状態ＸＢにおいて、右腕および左腕を幅方向の内側に移動させる力を右腕および左腕に付与する。このため、中間着衣状態ＸＢにおいて図８に示される着衣動作Ａ４として右腕および左腕の一方が上方に移動するとき、強背面部２５から付与される力により右腕および左腕の他方が強背面部２５に引き寄せられる。このため、着衣動作Ａ４において右腕および左腕が下方から上方に向けて同時に移動しやすくなる。
【００８８】
（作用１６）シャツ１は、緊締力が大きい強背面部２５および低伸縮性のテープ１１を有するため、右腕および左腕が図７に示される位置から図８に示される位置に移動する過程において、右腕および左腕を背面側に引き寄せる力を右腕および左腕に付与する。このため、右腕および左腕が背面よりの箇所に位置する状態において右腕および左腕が下方から上方に向けて回転しやすくなる。
【００８９】
図１１〜図１６を参照して、引上脱衣方法について説明する。
ユーザーは、引上脱衣方法によりシャツ１を脱衣するとき、以下の（脱衣動作Ｂ１）〜（脱衣動作Ｂ５）の順に脱衣動作を行う。
【００９０】
（脱衣動作Ｂ１）図１１に示されるように、右腕と左腕を腹部の前で交差させた状態において、右手により左強正面部２３の下端および裾１５を掴み、左手により右強正面部２２の下端および裾１５を掴む。
【００９１】
（脱衣動作Ｂ２）図１２に示されるように、右手および左手を腹部前方側から胸部前方側に向けて上方に移動させる。これにより、右強正面部２２および左強正面部２３がそれぞれ右肘および左肘に引っ掛かる位置まで裾１５をめくりあげて、中間脱衣状態ＹＡを形成する。
【００９２】
（脱衣動作Ｂ３）図１２の矢印ＢＸに示されるように、右手および左手を胸部前方側から頭部の上部前方付近に向けて移動させる。これにより、図１３に示されるように、裾１５を頭部の上部前方付近までめくりあげて、中間脱衣状態ＹＢを形成する。このとき、右肘および左肘は、胸部前方側から頭部の上部前方付近まで移動する。また、襟ぐり１２の前身頃１０Ａに対応する部分が頭部の上方に位置する。
【００９３】
（脱衣動作Ｂ４）図１３の矢印ＢＹに示されるように、右手および左手を頭部の上部前方付近から頭頂部の上方まで移動させる。これにより、図１４に示されるように、右腕および左腕を肩まわりの上方に引き伸ばして、脱衣完了状態を形成する。このとき、右腕および左腕が引き伸ばされることにともない襟ぐり１２および裾１５が頭部を通過する。
【００９４】
（脱衣動作Ｂ５）図１５の矢印ＢＺに示されるように、右手で裾１５を右方に向けて引くことにより、図１６に示されるように左腕を左袖３２から引き抜く。このとき、左腕は図１５の矢印ＢＷに示されように外転し、矢印ＢＶに示されるように内旋する。次に、左手で裾１５を左方に向けて引くことにより、右腕を右袖３１から引き抜く。このとき、右腕は外転および内旋する。
【００９５】
以上のように、引上脱衣動作の脱衣動作Ｂ２から脱衣動作Ｂ５までにおいて、右腕は、身体正面の下方かつ左方の位置から上方かつ右方の位置に向けて、すなわち対角方向に向けて大きく移動する。また左腕は、身体正面の下方かつ右方の位置から上方かつ左方の位置に向けて、すなわち対角方向に向けて大きく移動する。また脱衣動作Ｂ５において、右腕および左腕は、内旋すなわち螺旋の方向に動作する。
【００９６】
脱衣時におけるシャツ１の作用について説明する。
（作用２１）シャツ１は、緊締力が大きい右強正面部２２、左強正面部２３、および強背面部２５を有するため、図１１の脱衣動作Ｂ１において、シャツ１のうちの腹部および上腹部と対応する部分が広がりにくい。これによりユーザーは、右腕および左腕を１本ずつ対応する右袖３１または左袖３２から引き抜きにくい。このため、ユーザーがこの動作よりも右腕および左腕を動かしやすい脱衣動作Ｂ１を選択する可能性が高くなる。すなわちシャツ１は、ユーザーの脱衣動作を脱衣動作Ｂ１に導く構成を有する。
【００９７】
（作用２２）シャツ１は、裾１５付近に右強正面部２２および左強正面部２３の下端を有する。このため、ユーザーは図１１の脱衣動作Ｂ１において裾１５を掴むとき、右強正面部２２および左強正面部２３の下端を目印として利用することができる。
【００９８】
（作用２３）シャツ１は、緊締力が大きい右強正面部２２、左強正面部２３、および強背面部２５を有するため、シャツ１のうちの脇部および上腹部に対応する部分が広がりにくい。これによりユーザーは、図１１に示される脱衣状態において裾１５を上方にめくりあげた後、シャツ１のうちの脇部および上腹部に対応する部分を肘以外の部分により広げることが難しい。このため、ユーザーが同部分を広げやすい脱衣動作Ｂ２を選択する可能性が高くなる。すなわちシャツ１は、ユーザーの脱衣動作を脱衣動作Ｂ２に導く構成を有する。
【００９９】
（作用２４）シャツ１は、緊締力が大きい右強正面部２２、左強正面部２３、および強背面部２５を有するため、身体を正面側から背面側に向けて引っ張る力を身体に付与する。このため、図１２に示される脱衣動作Ｂ２および図１３に示される脱衣動作Ｂ３において、ユーザーの姿勢が前傾姿勢となることが抑制される。
【０１００】
（作用２５）シャツ１は、緊締力が大きい左強正面部２３を有するため、図１５に示される脱衣動作Ｂ５において左肘が左強正面部２３に引っ掛かる。これにより、ユーザーは左腕を左袖３２から抜きにくくなるため、左腕を左袖３２から抜くために左腕を外転させる可能性が高くなる。そして、ユーザーが左腕を外転させたときには、肩まわりの筋肉が大きく動かされる。
【０１０１】
（作用２６）シャツ１は、緊締力が大きい右強正面部２２を有するため、図１５に示される脱衣動作Ｂ５において右肘が右強正面部２２に引っ掛かる。これにより、ユーザーは右腕を右袖３１から抜きにくくなるため、右腕を右袖３１から抜くために右腕を外転させる可能性が高くなる。そして、ユーザーが右腕を外転させたときには、肩まわりの筋肉が大きく動かされる。
【０１０２】
（作用２７）シャツ１は、左袖３２に引掛部３３を有するため、ユーザーが左腕を左袖３２から引き抜くとき、左手首が引掛部３３に引っ掛かる。このため、ユーザーが左手首を引掛部３３から引き抜くために左腕を内旋させる可能性が高くなる。そして、ユーザーが左腕を内旋させたときには、肩まわりの筋肉が大きく動かされる。
【０１０３】
（作用２８）シャツ１は、右袖３１に引掛部３３を有するため、ユーザーが右腕を右袖３１から引き抜くとき、右手首が引掛部３３に引っ掛かる。このため、ユーザーが右手首を引掛部３３から引き抜く動作として右腕を内旋させる可能性が高くなる。そして、ユーザーが右腕を内旋させたときには、肩まわりの筋肉が大きく動かされる。
【０１０４】
（実施形態の効果）
本実施形態のシャツ１は以下の効果を奏する。
（１）シャツ１の右袖ぐり背面縁１３Ｂは、右袖ぐり正面縁１３Ｆよりも身頃１０の幅方向の内側に位置する。また、左袖ぐり背面縁１４Ｂは、左袖ぐり正面縁１４Ｆよりも身頃１０の幅方向の内側に位置する。この構成によれば、着衣動作Ａ３において、ユーザーが肩まわりの筋肉を大きく動かす動作が促される。
【０１０５】
また、着衣状態を中間着衣状態ＸＢから着衣完了状態に変化させる動作は、ユーザーがシャツ１を着衣する毎に生じる。すなわち、日常的に行われるシャツ１の着衣時に生じる。このため、本発明のシャツ１は、肩まわりの筋肉を大きく動かす機会を増やすことに貢献する。
【０１０６】
（２）シャツ１の右袖３１の袖口３１Ａおよび左袖３２の袖口３２Ａは、背面側を向く。この構成によれば、引上着衣方法により着衣されるとき、ユーザーの右腕および左腕を背面側に引き寄せる力をより大きくすることができる。
【０１０７】
（３）身頃１０は、右袖ぐり背面縁１３Ｂと左袖ぐり背面縁１４Ｂとの間の部分に緊締力の大きい強背面部２５を有する。この構成によれば、着衣動作Ａ３において、身体の背面側において右腕および左腕を下方から外回りで上方まで回転させる動作が行われやすくなる。
【０１０８】
またシャツ１は、身体に着用された状態において、ユーザーの右腕および左腕を背面側において内側に引き寄せる力を右腕および左腕に付与する。このため、シャツ１の力が腕に付与されていない場合と比較して、ユーザーが右腕および左腕を前方に動かすとき、右肩および左肩を動かす筋肉に負荷がかかる。また、肩および腕が背面側において内側に引き寄せられているため、シャツ１からの力が腕に付与されていない場合と比較して、右腕または左腕を前方に移動させるときの腕の移動量が大きくなる。
【０１０９】
（４）強背面部２５は、身頃１０の高さ方向において肩甲骨の上端から下端に対応する部分までにわたり形成されている。この構成によれば、着衣状態が中間着衣状態ＸＢのときにおいてユーザーの右腕および左腕を背面側に引き寄せる力がより大きくなる。このため、着衣動作Ａ３において、身体の背面側において右腕および左腕を下方から外回りで上方まで回転させる動作が行われやすくなる。
【０１１０】
（５）身頃１０の右肘対応部分は、緊締力の大きい右強正面部２２を有する。また、左肘対応部分は、緊締力の大きい左強正面部２３を有する。この構成によれば、ユーザーのシャツ１の脱衣状態が中間脱衣状態ＹＡから中間脱衣状態ＹＢを経て脱衣完了状態に変化するとき、肩まわりの筋肉を大きく動かす動作が促される。
【０１１１】
そして、脱衣状態を中間脱衣状態ＹＡから中間脱衣状態ＹＢを経て脱衣完了状態に変化させる動作は、ユーザーがシャツ１を脱衣する毎に生じる。すなわち、日常的に行われるシャツ１の脱衣時に生じる。このため、本発明のシャツ１は、肩まわりの筋肉を大きく動かす機会を増やすことに貢献する。
【０１１２】
（６）右強正面部２２は、右袖ぐり１３の下端よりも下方において強背面部との接続部分である脇縁２２Ａを有する。また、左強正面部２３は、左袖ぐり１４の下端よりも下方において強背面部２５との接続部分である脇縁２３Ａを有する。この構成によれば、脱衣動作Ｂ２において、ユーザーが右肘および左肘の両方を用いてシャツ１の裾をめくりあげる動作が行われやすくなる。
【０１１３】
（７）強背面部２５の襟縁２５Ｎは、伸縮性の低いテープ１１を有する。この構成によれば、着衣動作Ａ３において、ユーザーが身体の背面側において右腕および左腕を下方から外回りで上方まで回転させる動作が行われやすくなる。
【０１１４】
（８）身頃１０は、襟ぐり１２に沿う方向の伸縮性が襟ぐり１２と直交する方向の伸縮性よりも大きい右肩部２６および左肩部２７を有する。この構成によれば、着衣動作Ａ３において、右腕および左腕を外側に向けて開く動作が行われやすくなる。
【０１１５】
（９）右袖３１の袖口３１Ａおよび左袖３２の袖口３２Ａは、腕に引っ掛かる引掛部３３を有する。この構成によれば、シャツ１を脱衣するときに肩まわりの筋肉を大きく内旋する動作が行われやすくなる。
【０１１６】
（１０）右強正面部２２および左強正面部２３は、前身頃１０Ａの幅方向の中間部分において互いに接続されていない。この構成によれば、右強正面部２２および左強正面部２３が前身頃１０Ａの幅方向の中間部分において互いに接続される構成と比較して、身体に付与される締め付け力が小さくなるため、着心地が向上する。
【０１１７】
（その他の実施形態）
本発明は、上記実施形態以外の実施形態を含む。以下、本発明のその他の実施形態としての上記実施形態の変形例を示す。なお、以下の各変形例は、互いに組み合わせることもできる。
【０１１８】
・上記実施形態（図３）の右袖ぐり１３および左袖ぐり１４は、基準折畳状態において正面側および背面側にわたり位置する。一方、変形例（図１７）の右袖ぐり１３および左袖ぐり１４は、基準折畳状態において全体が背面側に位置する。
【０１１９】
・上記実施形態（図３）の右袖ぐり背面縁１３Ｂは、幅方向において右袖ぐり正面縁１３Ｆよりも身頃１０の内側に位置し、左袖ぐり背面縁１４Ｂは、幅方向において左袖ぐり正面縁１４Ｆよりも身頃１０の内側に位置する。一方、変形例の右袖ぐり背面縁１３Ｂは、幅方向において右袖ぐり正面縁１３Ｆと一致する位置、または幅方向において右袖ぐり正面縁１３Ｆよりも身頃１０の外側に位置する。また、左袖ぐり背面縁１４Ｂは、幅方向において左袖ぐり正面縁１４Ｆと一致する位置、または幅方向において左袖ぐり正面縁１４Ｆよりも身頃１０の外側に位置する。なお、この変形例においても、右袖３１の袖口３１Ａおよび左袖３２の袖口３２Ａは背面側を向くため、ユーザーの着衣状態を着衣動作Ａ２から着衣動作Ａ３に導くことができる。
【０１２０】
・上記実施形態（図４）のシャツ１は、右袖３１の袖口３１Ａおよび左袖３２の袖口３２Ａが背面側を向く。一方、変形例のシャツ１は、右袖３１の袖口３１Ａおよび左袖３２の袖口３２Ａが下方を向く。なお、この変形例においても、右袖ぐり背面縁１３Ｂは、幅方向において右袖ぐり正面縁１３Ｆよりも身頃１０の内側に位置し、左袖ぐり背面縁１４Ｂは、幅方向において左袖ぐり正面縁１４Ｆよりも身頃１０の内側に位置するため、ユーザーの着衣状態を、着衣動作Ａ１から着衣動作Ａ２および着衣動作Ａ３に導くことができる。
【０１２１】
・上記実施形態（図２）の身頃１０は、肩甲部および背面上部を覆う強背面部２５および背面下部を覆う背面基礎部２４が互いに縫い合わせられた構造を有する。一方、変形例の身頃１０は、肩甲部から背面下部までを覆う背面基礎部２４と肩甲部および背面上部を覆う強背面部２５とが互いに重ね合わせられた構造を有する。
【０１２２】
・上記実施形態（図１）の身頃１０は、右袖ぐり１３および左袖ぐり１４の下端よりも下方において右強正面部２２および左強正面部２３が強背面部２５に接続される構造を有する。一方、変形例の身頃１０は、強背面部２５の脇部上部を省略し、右強正面部２２および左強正面部２３が強背面部２５に接続されない構造を有する。この変形例の正面基礎部２１は、右強正面部２２および左強正面部２３が接続されない強背面部２５の形状に応じた形状を有する。
【０１２３】
・上記実施形態（図１）の身頃１０は、胸部上部から下腹部までを覆う右強正面部２２および左強正面部２３を有する。一方、変形例の身頃１０は、胸部上部から上腹部までを覆う右強正面部２２および左強正面部２３を有する。
【０１２４】
・上記実施形態（図１）の身頃１０は、右強正面部２２および左強正面部２３が互いに分離した構造を有する。一方、変形例の身頃１０は、右強正面部２２および左強正面部２３が互いに接続された構造を有する。この変形例の右強正面部２２および左強正面部２３は、下端が腹部内側に位置する。また、腹部の幅方向の中央部分において互いに接続される。
【０１２５】
・上記実施形態（図１）の身頃１０は、中緊締力生地により構成される右強正面部２２および左強正面部２３を有する。一方、変形例の身頃１０は、強緊締力生地により構成される右強正面部２２および左強正面部２３を有する。なお、この変形例を「変形例Ｚ」とする。
【０１２６】
・上記変形例Ｚの変形例としての身頃１０は、それぞれ別の生地として構成される右強正面部２２、左強正面部２３、および強背面部２５に代えて、右強正面部２２、左強正面部２３、および強背面部２５を合わせた生地に相当する１枚の強緊締力生地を有する。
【０１２７】
・上記実施形態（図１）の身頃１０は、中緊締力生地により構成される右強正面部２２および左強正面部２３を有する。一方、変形例の身頃１０は、強緊締力生地よりも緊締力の強い生地により構成される右強正面部２２および左強正面部２３を有する。
【０１２８】
・上記実施形態（図１）の身頃１０は、弱緊締力生地により構成される正面基礎部２１を有する。一方、変形例の身頃１０は、中緊締力生地により構成される正面基礎部２１を有する。
【０１２９】
・上記実施形態（図２）の身頃１０は、弱緊締力生地により構成される背面基礎部２４を有する。一方、変形例の身頃１０は、中緊締力生地により構成される背面基礎部２４を有する。
【０１３０】
・上記実施形態（図１）の身頃１０の強背面部２５は、低伸縮部としてテープ１１を襟縁２５Ｎに有する。一方、変形例の身頃１０における強背面部２５は、テープ１１に代えて低伸縮部としての伸び止め縫い部分を襟縁２５Ｎ付近に有する。
【０１３１】
・上記実施形態（図１）の右袖３１および左袖３２の引掛部３３は、カフス構造を有する。一方、変形例の右袖３１および左袖３２の引掛部３３は、カフス構造に代えて袖口３１Ａおよび袖口３２Ａの内部に摩擦テープが縫い付けられた構造を有する。
【０１３２】
・上記実施形態（図１）の右袖３１および左袖３２は、引掛部３３を有する。一方、変形例の右袖３１および左袖３２は、引掛部３３を省略している。
・上記実施形態（図１）の右肩部２６および左肩部２７は、襟ぐり１２の縁に沿う方向の伸縮性が襟ぐり１２の縁と直交する方向の伸縮性よりも大きい。一方、変形例の右肩部２６および左肩部２７は、襟ぐり１２の縁に沿う方向の伸縮性が襟ぐり１２の縁と直交する方向の伸縮性よりも小さい。または、襟ぐり１２の縁に沿う方向の伸縮性が襟ぐり１２の縁と直交する方向の伸縮性と等しい。
【０１３３】
・上記実施形態（図１）のシャツ１は、長袖としての右袖３１および左袖３２を有する。一方、変形例のシャツ１は、長袖としての右袖３１および左袖３２に代えて半袖としての右袖および左袖を有する。
【０１３４】
・上記実施形態（図１）のシャツ１は、右袖３１および左袖３２を有する。一方、変形例のシャツ１は、袖を省略したノンスリーブシャツとしての形態を有する。
・上記実施形態（図１）のシャツ１は、肩部から下腹部までを覆う身頃１０を有する。一方、変形例のシャツ１は、肩部から上腹部までを覆う身頃１０、または肩部から胸部までを覆う身頃１０を有する。
【０１３５】
・本発明は、上記実施形態に例示されるシャツ１以外の他の衣類に適用することもできる。他の衣類としては、ボディースーツが挙げられる。また本発明は、アウターに適用することもできる。要するに、右袖ぐりおよび左袖ぐりを有する衣類であれば、いずれの衣類に対しても本発明を適用することができる。
【符号の説明】
【０１３６】
１…シャツ、１０…身頃、１０Ａ…前身頃、１０Ｂ…後身頃、１１…テープ（低伸縮部）、１２…襟ぐり、１３…右袖ぐり、１３Ｕ…上部折返点、１３Ｄ…下部折返点、１３Ｆ…右袖ぐり正面縁、１３Ｂ…右袖ぐり背面縁、１３Ｓ…正面中間点、１３Ｔ…背面中間点、１４…左袖ぐり、１４Ｕ…上部折返点、１４Ｄ…下部折返点、１４Ｆ…左袖ぐり正面縁、１４Ｂ…左袖ぐり背面縁、１４Ｓ…正面中間点、１４Ｔ…背面中間点、１５…裾、２１…正面基礎部、２１Ａ…上右縁、２１Ｂ…上左縁、２１Ｄ…下縁、２１Ｒ…右縁、２１Ｌ…左縁、２１Ｐ…中右縁、２１Ｑ…中左縁、２１Ｎ…襟縁、２１Ｘ…右袖縁、２１Ｙ…左袖縁、２２…右強正面部、２２Ｕ…上縁、２２Ｒ…右縁、２２Ｌ…左縁、２２Ａ…脇縁、２３…左強正面部、２３Ｕ…上縁、２３Ｒ…右縁、２３Ｌ…左縁、２３Ａ…脇縁、２４…背面基礎部、２４Ｕ…上縁、２４Ｄ…下縁、２４Ｒ…右縁、２４Ｌ…左縁、２５…強背面部、２５Ａ…上右縁、２５Ｂ…上左縁、２５Ｄ…下縁、２５Ｒ…右縁、２５Ｌ…左縁、２５Ｎ…襟縁、２６…右肩部、２６Ｄ…正面縁、２６Ｕ…背面縁、２６Ｒ…右縁、２６Ｌ…左縁、２７…左肩部、２７Ｄ…正面縁、２７Ｕ…背面縁、２７Ｒ…右縁、２７Ｌ…左縁、３１…右袖、３１Ａ…袖口、３１Ｕ…上縁、３１Ｆ…正面上縁、３１Ｂ…背面上縁、３１Ｄ…下縁、３１Ｔ…肩先点、３１Ｓ…脇下点、３２…左袖、３２Ａ…袖口、３２Ｕ…上縁、３２Ｆ…正面上縁、３２Ｂ…背面上縁、３２Ｄ…下縁、３２Ｔ…肩先点、３２Ｓ…脇下点、３３…引掛部。
【図１】
2013119694.tif 000003
【図２】
2013119694.tif 000004
【図３】
2013119694.tif 000005
【図４】
2013119694.tif 000006
【図５】
2013119694.tif 000007
【図６】
2013119694.tif 000008
【図７】
2013119694.tif 000009
【図８】
2013119694.tif 000010
【図９】
2013119694.tif 000011
【図１０】
2013119694.tif 000012
【図１１】
2013119694.tif 000013
【図１２】
2013119694.tif 000014
【図１３】
2013119694.tif 000015
【図１４】
2013119694.tif 000016
【図１５】
2013119694.tif 000017
【図１６】
2013119694.tif 000018
【図１７】
2013119694.tif 000019